(57)【要約】【課題】配光性を良好として観察性能を良くするために、広い視野角とした場合であっても、挿入部先端部の径を太くすることがない内視鏡を実現する。【解決手段】内視鏡は、細長な挿入部の先端部本体３１の長手軸に対し、外径方向に傾斜させて先端部本体３１に設け、被検体用照明光を伝達するライトガイドユニット３３及び、このライトガイドユニット３３に隣接して先端部本体３１に設け、ライトガイドユニット３３からの照明光により照明された被検体の光学像を撮像する撮像ユニット３２を有して構成されている。先端部本体３１は、撮像ユニット３２が配設される撮像ユニット配設孔３１ｂと、ライトガイドユニット３３が配設されるライトガイドユニット配設孔３１ｄとが形成され、これら撮像ユニット配設孔３１ｂとライトガイドユニット配設孔３１ｄとを少なくとも挿入部の基端側において連通するように構成した。【選択図】図３
2005168606.tif 000002
【特許請求の範囲】
【請求項１】
細長な挿入部の先端部本体の長手軸に対し、外径方向に傾斜させて前記先端部本体に設け、被検体用照明光を伝達するライトガイドユニット及び、このライトガイドユニットに隣接して前記先端部本体に設け、前記ライトガイドユニットからの照明光により照明された被検体からの反射光を取り込んで結像し撮像する撮像ユニットを有し、
前記先端部本体には、前記撮像ユニットが配設される第１の配設孔と、前記ライトガイドユニットが配設される第２の配設孔とが形成され、前記第１の配設孔と前記第２の配設孔とを少なくとも前記挿入部の基端側において連通するようにしたことを特徴とする内視鏡。
【請求項２】
前記第２の配設孔は、前記第１の配設孔の周囲に複数形成され、少なくとも１つの第２の配設孔と前記第１の配設孔とを少なくとも前記挿入部の基端側において連通するようにしたことを特徴とする請求項１に記載の内視鏡。
【発明の詳細な説明】
【技術分野】
【０００１】
本発明は、内視鏡に係り、特に、挿入部の先端部の構成に特徴のある内視鏡に関する。
【背景技術】
【０００２】
従来より、内視鏡は、医療分野等で広く利用されている。内視鏡は、細長な挿入部を有して構成されている。内視鏡は、体腔内に上記挿入部を挿入することによって、体腔内の臓器等を観察したり、必要に応じて処置具挿通チャンネル内に挿入した処置具を用いて各種処置をすることができる。上記挿入部の先端側には、湾曲自在な湾曲部が設けられ、内視鏡の操作部を操作することによって、先端部の観察窓の観察方向を変更させることができる。
【０００３】
従来の内視鏡は、視野角が例えば１４０度であり、術者はその視野角の観察画像によって体腔内を観察している。そして、術者は、体腔内を観察中に、視野範囲外の部位を観察したい場合に、湾曲部を湾曲させることによって視野範囲外の部位を観察することができる。このような従来の内視鏡において、挿入部の先端部にはライトガイドユニットが２つ設けられており、これら２つのライトガイドユニットによる照明で十分であった。
【０００４】
一方、より広い範囲を観察できるように、従来の内視鏡は、例えば、特開２００１−２５８８２３号公報に記載されているように、視野角をより広くした内視鏡が提案されている。上記公報に記載の内視鏡は、挿入部の先端部に４つのライトガイドユニットが設けられている。このため、上記公報に記載の内視鏡は、広い視野範囲をカバーするように照明することができ、その結果モニタに表示される観察画像の周辺部まで光量が落ちないようになる。  
しかしながら、上記公報に記載の内視鏡は、ライトガイドユニットを４つ設けているので、ライトガイドユニットを２つ設けている内緒鏡よりも挿入部の先端部が太くなるという問題が生じてしまう。
【０００５】
一方、これに対して、従来の内視鏡は、例えば、特開平４−１０２４３２号公報に記載されているように、挿入部の先端部に３つのライトガイドユニットを設けた内視鏡が提案されている。  
このようなライトガイドユニットを３つ用いた従来の内視鏡は、例えば、図６に示すように構成されている。図６は、ライトガイドユニットを３つ用いた従来の内視鏡の挿入部先端部を示す要部拡大図である。
【０００６】
図６に示すようにライトガイドユニットを３つ用いた従来の内視鏡の挿入部先端部１００は、配光性のためにライトガイドユニット１０１を先端部本体１００Ａの長手軸に対し、外径方向に傾斜させて配設している（図中、ライトガイドユニット１０１は１つのみ示す）。尚、符号１０３は、上記ライトガイドユニット１０１の先端側が挿入配設される先端部本体１００Ａに形成したライトガイドユニット配設孔である。
【特許文献１】特開２００１−２５８８２３号
【特許文献２】特開平４−１０２４３２号
【発明の開示】
【発明が解決しようとする課題】
【０００７】
上記ライトガイドユニットを３つ用いた従来の内視鏡は、配光性のために上記ライトガイドユニットを上記先端部本体の長手軸に対し、外径方向に傾斜させて配設している。このため、上記従来の内視鏡は、上記先端部本体の先端側で上記ライトガイドユニットと上記撮像ユニットとの境界壁が拡がり、その分先端部本体が厚くなり、挿入部先端部が太くなるという問題がある。
【０００８】
本発明は、上記事情に鑑みてなされたもので、配光性を良好として観察性能を良くするために、広い視野角とした場合であっても、挿入部先端部の径を太くすることがない内視鏡を提供することを目的とする。
【課題を解決するための手段】
【０００９】
本発明による第１の内視鏡は、細長な挿入部の先端部本体の長手軸に対し、外径方向に傾斜させて前記先端部本体に設け、被検体用照明光を伝達するライトガイドユニット及び、このライトガイドユニットに隣接して前記先端部本体に設け、前記ライトガイドユニットからの照明光により照明された被検体からの反射光を取り込んで結像し撮像する撮像ユニットを有し、前記先端部本体には、前記撮像ユニットが配設される第１の配設孔と、前記ライトガイドユニットが配設される第２の配設孔とが形成され、前記第１の配設孔と前記第２の配設孔とを少なくとも前記挿入部の基端側において連通するようにしたことを特徴としている。  
また、本発明による第２の内視鏡は、前記第１の内視鏡において、前記第２の配設孔は、前記第１の配設孔の周囲に複数形成され、少なくとも１つの第２の配設孔と前記第１の配設孔とを少なくとも前記挿入部の基端側において連通するようにしたことを特徴としている。
【発明の効果】
【００１０】
本発明の内視鏡は、配光性を良好として観察性能を良くするために、広い視野角とした場合であっても、挿入部先端部の径を太くすることがないという効果を有する。
【発明を実施するための最良の形態】
【００１１】
以下、図面を参照して本発明の一実施例を説明する。
【実施例１】
【００１２】
図１ないし図５は本発明の一実施例に係わり、図１は一実施例の内視鏡を備えた内視鏡装置を示す全体構成図、図２は図１の内視鏡の挿入部先端部の正面図、図３は図２のＰ−Ｐ線に沿った先端部の断面図、図４は図３のＡ−Ａ線断面図、図５は先端カバーの露出孔とライトガイドユニットの先端側との関係を示す概略説明図である。
【００１３】
図１に示すように内視鏡１は、湾曲操作や管路系の制御を行う操作部２と、その基端側が操作部２に接続されて被検体の体腔内に挿入される挿入部３と、操作部２から延出されて先端にコネクタ部４を有するユニバーサルコード３ａとを有する。コネクタ部４は、光源装置５とビデオプロセッサ６とに所定のコネクタを介して接続されるようになっている。ビデオプロセッサ６は、モニタ７に接続されている。挿入部３は、軟性を有する可撓管部８と、その可撓管部８の先端側に設けられた湾曲部９と、その湾曲部９の先端側に設けられた先端部１０とを有して構成されている。前記先端部１０には、体腔内の観察部位を撮像する後述の撮像素子３２ｄが内蔵されている。
【００１４】
前記撮像素子３２ｄによって撮像された体腔内の観察部位の撮像信号は、ユニバーサルコード３ａを介してビデオプロセッサ６へ伝達されるようになっている。ビデオプロセッサ６は、伝達された撮像信号を信号処理して標準的な映像信号を生成する信号処理回路（図示せず）を有している。前記ビデオプロセッサ６は、信号処理回路によって処理した信号を表示手段であるモニタ７に出力してこのモニタの表示画面７ａ上に、撮像された観察部位の観察画像を表示するようになっている。
【００１５】
前記操作部２には、前記湾曲部９を遠隔的に湾曲させるための操作ノブが設けられている。前記操作ノブを操作することによって、内視鏡１は、挿入部３内に挿通された操作ワイヤ（図示せず）の引っ張り作用及び弛緩作用が生じ、その結果、湾曲部９が４方向に湾曲可能となっている。
【００１６】
図２に示すように前記先端部１０の先端面２１には、後述の撮像ユニットを構成している最先端レンズとしての観察窓２２と、後述の３つのライトガイドユニットをそれぞれ構成している最先端レンズとしての３つの照明窓２３ａ、２３ｂ、２３ｃと、処置具挿通用チャンネル２４Ａ（図４参照）の開口部である処置具挿通用チャンネル開口部２４と、前記観察窓２２を洗滌するための送気送水チャンネル２５Ａの開口部である送気送水ノズル２５と、被検者等の患部の血液、粘液等の体液を洗浄するための前方送水チャンネル２６Ａの開口部である前方送水チャンネル開口２６とが配設されている。
【００１７】
前記先端部１０の先端面２１には、前記観察窓２２の光軸の中心周りに、前記照明窓２３（照明窓２３ａ〜２３ｃ）が所定の角度間隔、例えば１２０度間隔で配置されている。また、観察窓２２の中心から各照明窓２３までの間隔は、照明窓２３ａと照明窓２３ｃとまでは略等間隔であり、その間隔よりも照明窓２３ｂまでは大きくなるようになっている。
【００１８】
一つの照明窓２３ｂだけを離して設けたのは、次の理由による。即ち、広角でない視野角を有する内視鏡であれば、照明窓は２つで十分であったが、上述したように広角な視野角を有する内視鏡の場合、広い範囲を照明しなければならないので、３つ以上の照明窓を設ける必要がある。しかし、３つ以上の照明窓を設けることは細い先端部内に種々の内蔵物を入れて組み立てる工程において、１つライトガイドが増え、作業上の煩雑さが増すことになるという問題が生じる。
【００１９】
そこで、照明窓２３の１つ、例えば照明窓２３ｂだけが、他の照明窓２３ａ，２３ｃよりも観察窓２２から離して設けている。これにより、他の照明窓２３ａ，２３ｃのライトガイドユニット等の内蔵物を先端部１０に組み入れるときに、最後にその照明窓２３に対応するライトガイドユニット３３は、組み入れ易くなる。具体的には、撮像ユニット３２、２つの照明窓（２３ａ，２３ｃ）に対応するライトガイドユニット３３、送気送水ノズル２５及び前方送水チャンネル開口２６のための管路が密集して挿入された後に、狭い空間に最後に照明窓２３ｂに対応するライトガイドユニットを挿入する場合、照明窓２３ｂは他の照明窓２３ａ，２３ｃよりも、観察窓２２から離れた位置にあるので、挿入し易くなり、先端部１０の組み立て性が向上する。  
そして、各組の照明窓の間であって前記観察窓２２の光軸の周りに、処置具挿通用チャンネル開口部２４と、送気送水ノズル２５と、前方送水チャンネル開口２６とが配設されている。
【００２０】
ここで、挿入部３内には、撮像ユニット３２の他にも、３つの照明窓２３に対応する光ファイバ束であるライトガイドと、処置具挿通用チャンネル開口部２４、送気送水ノズル２５及び前方送水チャンネル開口２６に対応する内蔵物である処置具用チャンネル等の複数のチャンネルとが挿通されている。撮像ユニット３２の他に６つの内蔵物が先端部１０内に設けられているので、先端部１０の径が太くならないようにしなければならない。
【００２１】
そこで、３つの照明窓２３の間に、３つの内蔵物の先端である処置具挿通用チャンネル開口部２４、送気送水ノズル２５及び前方送水チャンネル開口２６が、それぞれ交互になるように配設することによって、広い視野角を持つ内視鏡において、照明光をバランス良く照射すると共に、先端部１０の径が太くならないようにしている。
【００２２】
具体的には、照明窓２３ａと照明窓２３ｂとの間には、前記処置具挿通用チャンネル開口部２４が配設され、照明窓２３ｂと照明窓２３ｃとの間には、前記送気送水ノズル２５が配設され、照明窓２３ｂと照明窓２３ｃとの間には、前記前方送水チャンネル開口２６が配設されている。
【００２３】
さらに、また、挿入部３の先端部１０の先端面において、前記観察窓２２を挟んで、前記送気送水ノズル２５と前記照明窓２３ａとが、Ｐ−Ｐで示す略直線上に配置されている。  
これは、前記先端部１０の先端面に、汚物等が付着しても、送気送水ノズル２５の開口２５ａから出る水やガスによって、観察窓２２と一緒に、少なくとも１つの照明窓２３ａの汚れだけでも除去するためである。これにより、常に必要最低限の照明量を確保できるので、良好な観察性を得ることができる。特に、図２では、送気送水ノズル２５の中心と、照明窓２３ａの中心とは、観察窓２２の中心に対して、点対称の位置にある。
【００２４】
図３に示すように、前記先端部１０には、硬質な先端部本体３１が設けられている。  
前記先端部本体３１には、前記観察窓２２に対応する撮像ユニット３２や、前記３つの照明窓２３に対応する３つのライトガイドユニット３３（尚、図中１つのみ図示）等の内蔵物が配設されている。また、前記先端部本体３１は、先端カバー３１ａによって被覆されている。
【００２５】
前記撮像ユニット３２は、前記観察窓（観察用レンズとも言う）２２が前記先端カバー３１ａから外部に露出するように先端部本体３１に形成された第１の配設孔としての撮像ユニット配設孔３１ｂに挿入配設され、図示しない充填材等によって前記先端部本体３１に固定されている。
【００２６】
前記撮像ユニット３２は、前記観察窓２２と、その観察窓２２の基端側に設けられ、複数のレンズ群により形成される対物光学系３２ｂと、その対物光学系３２ｂの基端側には設けられたカバーガラス３２ｃと、そのカバーガラス３２ｃの基端側に設けられ、ＣＣＤ（電荷結合素子）等の固体撮像素子である撮像素子３２ｄと、その撮像素子３２ｄが接続されて信号増幅等の各種処理を行う回路基板３２ｅと、を有して構成されている。この撮像ユニット３２には、前記回路基板３２ｅから延出する信号ケーブル３２ｆが挿入部３内を挿通してビデオプロセッサ６に接続されており、そのビデオプロセッサ６によって制御駆動されるようになっている。
【００２７】
前記ライトガイドユニット３３は、前記先端部本体３１に形成された第２の配設孔としてのライトガイドユニット配設孔３１ｄに挿入配設され、固定ネジ３４によって先端部本体３１に固定されている。前記ライトガイドユニット３３は、前記先端部本体３１から先端側が突出しており、前記照明窓（照明用レンズとも言う）２３が前記先端カバー３１ａに形成された露出孔３１ｃから外部に露出するようになっている。
【００２８】
前記ライトガイドユニット３３は、前記照明窓２３と、ライトガイドである光ファイバ束３３ｂとを有して構成されている。前記光ファイバ束３３ｂの先端部は、金属パイプ３３ｃ内に接着剤等で固定されている。前記光ファイバ束３３ｂの先端部と前記照明窓２３とは、ライトガイド枠３３ｄ内に挿入されて固定されている。
【００２９】
前記金属パイプ３３ｃの一部と前記光ファイバ束３３ｂとは、外皮チューブ３３ｅによって覆われている。前記外皮チューブ３３ｅは、前記金属パイプ３３ｃに対して、糸巻き３３ｆによって固定されている。  
尚、光ファイバ束の基端側は、挿入部３からユニバーサルコード３ａを挿通して前記コネクタ部４の図示しないライトガイドコネクタに固定保持され、前記光源装置５から照明光を供給されるようになっている。そして、前記ライトガイドユニット３３は、前記光源装置５から供給された照明光が前記光ファイバ束３３ｂを伝達して照明窓２３から被写体を照明するようになっている。
【００３０】
ここで、前記金属パイプ３３ｃは、途中の所定の位置Ｐ１において折り曲げられており、その結果、光ファイバ束３３ｂも金属パイプ３３ｃの折り曲げ形状に沿って曲げられている。即ち、ライトガイドユニット３３は、前記先端部本体３１の長手軸に対し、外径方向に傾斜させて配設されるようになっている。
【００３１】
従って、照明光を出射する照明窓２３の光軸３３ＬＡは、撮像ユニット３２の光軸３２ＬＡとは並行ではない。特に、光軸３３ＬＡの先端方向が、撮像ユニット３２の光軸３２ＬＡの観察方向の先の点から離間する方向に、光軸３３ＬＡは、光軸３２ＬＡに対して傾いている。他の照明窓２３ｂ、２３ｃに対応するライトガイドユニットの光軸も、その光軸の先端方向が、撮像ユニット３２の光軸３２ＬＡの観察方向の先の点から離間する方向に、光軸３２ＬＡに対して傾いている。
【００３２】
送気送水ノズル２５の先端部には、送気送水チャンネル２５Ａの開口２５ａが形成されている。この開口２５ａは、送気送水ノズル２５から噴出する水やガスが、略撮像ユニット３２の光軸に直交平面に平行な方向で、且つ観察窓２２の表面と、照明窓２３の表面を通る方向に噴出されるように形成されている。
【００３３】
送気送水ノズル２５の基端側は、パイプ形状を有しており、連結管２５ｂを介して送気送水チャンネル２５Ａを構成している送気送水チューブ２５ｃに接続されている。よって、連結管２５ｂと送気送水チューブ２５ｃとによって送気送水管路が形成されている。送気送水チューブ２５ｃは、糸巻き２５ｄによって連結管２５ｂに固定されている。
【００３４】
先端部本体３１の基端部は、湾曲先端コマ３５の一部に固定されている。先端部本体３１の基端側と湾曲先端コマ３５とは、外皮チューブ３６によって覆われている。外皮チューブ３６は、糸巻き３７によって先端部本体３１に固定されている。尚、図示しないが、前記前方送水チャンネル開口２６も前方送水チャンネル２６Ａの開口の位置以外は、ほぼ同様な構成となっている。
【００３５】
ここで、上述したように前記ライトガイドユニット３３は、先端部本体３１の長手軸に対し、外径方向に傾斜させて配設している。  
従来の内視鏡は、先端部本体の先端側でライトガイドユニットと撮像ユニットとの境界壁が拡がり、その分先端部本体が厚くなり、挿入部先端部が太くなるという問題が生じてしまう。
【００３６】
そこで、本実施例では、前記先端部本体３１が厚くならないように前記ライトガイドユニット３３が挿入配設されるライトガイドユニット配設孔３１ｄと、前記撮像ユニット３２が挿入配設される撮像ユニット配設孔３１ｂとを少なくとも基端側において連通するように形成している。これらライトガイドユニット配設孔３１ｄと撮像ユニット配設孔３１ｂとを連通させる長さとしては、少なくともライトガイドが曲げられる屈曲部からライトガイド先端までの長さ以上を連通させることが望ましい。
【００３７】
また、例えば、３つあるライトガイド配設孔のうちの１つのライトガイド配設孔と撮像ユニット配設孔とを連通させる場合には、挿入部３の先端中心を通る直交軸により分割した４つの象限のうち、対物中心が配置される象限に配置されるライトガイドユニット配設孔の基端部を撮像ユニット配設孔と連通させることが望ましい。
【００３８】
ここで、図４に示すように前記ライトガイドユニット配設孔３１ｄと前記撮像ユニット配設孔３１ｂとは、これら３つのライトガイドユニット配設孔３１ｄと撮像ユニット配設孔３１ｂとが基端側において連通するように形成している。
【００３９】
そして、前記撮像ユニット配設孔３１ｂには、前記撮像ユニット３２が挿入配設されると共に、この撮像ユニット３２の周囲に形成された前記３つのライトガイドユニット配設孔３１ｄには、前記３つのライトガイドユニット３３がそれぞれ配設されるようになっている。
【００４０】
従って、先端部本体３１は、基端側において、前記撮像ユニット３２と前記３つのライトガイドユニット３３との間に境界壁がないので、先端部本体３１が厚くなってしまうことがない。  
これにより、内視鏡１は、配光性を良好として観察性能を良くするために、広い視野角とした場合であっても、挿入部先端部１０の径を太くすることがなく、細径化できる。
【００４１】
尚、前記先端部本体３１の先端側を覆うように被嵌されている先端カバー３１ａは、上述したように前記先端部本体３１から突出する前記ライトガイドユニット３３の先端側が挿入されて前記照明窓２３が外部に露出する露出孔３１ｃを形成している。
【００４２】
図３に示したように前記先端カバー３１ａの前記露出孔３１ｃは、前記ライトガイドユニット３３の先端側、即ち、前記ライトガイド枠３３ｄが外部へ抜けないようにテーパー状に傾斜させて形成されている。  
ここで、前記先端カバー３１ａは、修理性向上のために、前記先端部本体３１から着脱自在であることが必要である。しかしながら、前記先端カバー３１ａは、前記ライトガイドユニット３３が前記露出孔３１ｃに引っかかってしまうと、容易には着脱自在とならなくなってしまう。
【００４３】
そこで、本実施例では、前記先端カバー３１ａが前記先端部本体３１から容易に着脱自在になるように形成している。  
図５に示すように、前記先端部本体３１を被覆する先端カバー３１ａは、前記先端部本体３１から突出する前記ライトガイドユニット３３の先端側が挿入されて前記照明窓２３が外部に露出する露出孔３１ｃを、前記先端部本体３１の長手軸に対し、投影される前記ライトガイドユニット３３の挿入部分の投影面よりも大きく形成している。尚、図５においては、説明を簡単にするために、説明に必要な構成要素のみを示している。
【００４４】
従って、前記先端カバー３１ａは、前記ライトガイドユニット３３が前記露出孔３１ｃに引っかかることなく、前記先端部本体３１に着脱自在に構成でき、且つ前記先端部本体３１に取り付けた後、前記ライトガイドユニット３３の先端側が外部へ抜け落ちない。  
これにより、内視鏡１は、前記先端カバー３１ａが前記先端部本体３１に対して着脱自在であるので、修理性が向上する。
【００４５】
また、本発明は、以上述べた実施例のみに限定されるものではなく、発明の要旨を逸脱しない範囲で種々変形実施可能である。
【００４６】
［付記］
（付記項１）
細長な挿入部の先端部本体の長手軸に対し、外径方向に傾斜させて前記先端部本体に設け、被検体用照明光を伝達するライトガイドユニット及び、このライトガイドユニットに隣接して前記先端部本体に設け、前記ライトガイドユニットからの照明光により照明された被検体からの反射光を取り込んで結像し撮像する撮像ユニットを有し、
前記先端部本体には、前記撮像ユニットが配設される第１の配設孔と、前記ライトガイドユニットが配設される第２の配設孔とが形成され、前記第１の配設孔と前記第２の配設孔とを少なくとも前記挿入部の基端側において連通するようにしたことを特徴とする内視鏡。
【００４７】
（付記項２）
前記第２の配設孔は、前記第１の配設孔の周囲に複数形成され、少なくとも１つの第２の配設孔と前記第１の配設孔とを少なくとも前記挿入部の基端側において連通するようにしたことを特徴とする付記項１に記載の内視鏡。
【００４８】
（付記項３）
前記ライトガイドユニットを前記先端部本体の長手軸に対し、外径方向に傾斜させて配設したことを特徴とする付記項１に記載の内視鏡。
【００４９】
（付記項４）
前記ライトガイドユニットを前記撮像ユニットの周囲に所定の角度間隔で複数配設したことを特徴とする付記項１又は３に記載の内視鏡。
【００５０】
（付記項５）
前記ライトガイドユニットを前記先端部本体の長手軸に対し、外径方向に傾斜させて配設し、
前記先端部本体を被覆する先端カバーは、前記先端部本体から突出する前記ライトガイドユニットの先端側が挿入されて最先端レンズが外部に露出する露出孔を、前記先端部本体の長手軸に対して投影される前記ライトガイドユニットの挿入部分の投影面よりも大きく形成したことを特徴とする付記項１に記載の内視鏡。
【００５１】
（付記項６）
細長な挿入部の先端部本体の長手軸に対し、外径方向に傾斜させて前記先端部本体に設け、被検体用照明光を伝達するライトガイドユニット及び、このライトガイドユニットに隣接して前記先端部本体に設け、前記ライトガイドユニットからの照明光により照明された被検体からの反射光を取り込んで結像し撮像する撮像ユニットを有し、
前記先端部本体には、前記撮像ユニットが配設される第１の配設孔と、前記ライトガイドユニットが配設される第２の配設孔とが形成され、前記第１の配設孔と前記第２の配設孔とを少なくとも前記挿入部の基端側において連通するようにしたことを特徴とする内視鏡。
【００５２】
（付記項７）
細長な挿入部の先端側に設けた先端部本体を被覆する先端カバーと、
前記先端部本体の長手軸に対し、外径方向に傾斜させて前記先端部本体に設け、被検体用照明光を伝達するライトガイドユニットと、
を有し、
前記先端部本体を被覆する先端カバーは、前記先端部本体から突出する前記ライトガイドユニットの先端側が挿入されて最先端レンズが外部に露出する露出孔を、前記先端部本体の長手軸に対して投影される前記ライトガイドユニットの挿入部分の投影面よりも大きく形成したことを特徴とする内視鏡。
【００５３】
（付記項８）
前記ライトガイドユニットを前記先端部本体に３つ配設し、前記先端部本体の先端面において、前記３つのライトガイドユニットのうち、１つのライトガイドユニットの最先端レンズを、他の２つのライトガイドユニットの最先端レンズより前記撮像ユニットの最先端レンズから離間させて配置したことを特徴とする付記項１又は６又は７に記載の内視鏡。
【産業上の利用可能性】
【００５４】
本発明の内視鏡は、撮像ユニットが配設される第１の配設孔と、ライトガイドユニットが配設される第２の配設孔とが形成され、第１の配設孔と第２の配設孔とを少なくとも挿入部の基端側において連通するようにしたことにより、挿入部先端部を細径化でき、工業分野のみならず、医療分野において、特により広い視野角を必要とする場合に適している。
【図面の簡単な説明】
【００５５】
【図１】本発明の一実施例の内視鏡を備えた内視鏡装置を概略的に示した説明図である。
【図２】図１の内視鏡の挿入部先端部の正面図である。
【図３】図２のＰ−Ｐ線に沿った先端部の断面図である。
【図４】図３のＡ−Ａ線断面図である。
【図５】先端カバーの露出孔とライトガイドユニットの先端側との関係を示す概略説明図である。
【図６】ライトガイドユニットを３つ用いた従来の内視鏡の挿入部先端部を示す要部拡大図である。
【符号の説明】
【００５６】
１  内視鏡
３  挿入部
１０  先端部
２２  観察窓
２３  照明窓
３１  先端部本体
３１ａ  先端カバー
３１ｂ  撮像ユニット配設孔（第１の配設孔）
３１ｃ  露出孔
３１ｄ  ライトガイドユニット配設孔（第２の配設孔）
３２  撮像ユニット
３３  ライトガイドユニット
代理人    弁理士    伊藤  進
【図１】
2005168606.tif 000003
【図２】
2005168606.tif 000004
【図３】
2005168606.tif 000005
【図４】
2005168606.tif 000006
【図５】
2005168606.tif 000007
【図６】
2005168606.tif 000008